(57)【要約】【課題】伝送装置間でコヒーレント光の伝送を行う光伝送システムにおいて、各伝送装置が備える光源の数を減らす。【解決手段】第１伝送装置３０１＃１は、第１光源５０４＃１が出力する第１の光を変調して得られる第１の光信号を第２伝送装置へ送信する第１送信部５０１＃１と、第２伝送装置３０１＃２が送信した第２の光信号を第１光源５０４＃１が出力する第１の光を用いてコヒーレント受信する第１受信部５０２＃１とを備える。第２伝送装置３０１＃２は、第２光源５０４＃２が出力する第２の光を変調して得られる第２の光信号を第１伝送装置３０１＃１へ送信する第２送信部５０１＃２と、第１伝送装置３０１＃１が送信した第１の光信号を第２光源５０４＃２が出力する第２の光を用いてコヒーレント受信する第２受信部５０２＃２と、第２光源５０４＃２が出力する第２光の波長を制御する制御部５２１とを備える。【選択図】図５
2017195482.tif 000002
【特許請求の範囲】
【請求項１】
第１伝送装置と、
前記第１伝送装置と光通信可能に接続された第２伝送装置と、を備え、
前記第１伝送装置は、
第１光源と、
前記第１光源が出力する第１の光を変調して得られる第１の光信号を前記第２伝送装置へ送信する第１送信部と、
前記第２伝送装置が送信した第２の光信号を、前記第１光源が出力する前記第１の光を用いてコヒーレント受信する第１受信部と、
を備え、
前記第２伝送装置は、
第２光源と、
前記第２光源が出力する第２の光を変調して得られる前記第２の光信号を前記第１伝送装置へ送信する第２送信部と、
前記第１伝送装置が送信した前記第１の光信号を、前記第２光源が出力する前記第２の光を用いてコヒーレント受信する第２受信部と、
前記第２受信部による前記第１の光信号の受信結果に基づいて前記第２光源が出力する前記第２の光の波長を制御する制御部と、
を備えた、光伝送システム。
【請求項２】
前記第１光源が出力する光の波長は固定されている、請求項１に記載の光伝送システム。
【請求項３】
前記制御部は、前記第２受信部による前記第１の光信号の受信品質が高くなる方向に前記第２光源の生成する光の波長を変更する、請求項１または２に記載の光伝送システム。
【請求項４】
前記制御部は、前記第２光源の生成する光の波長を変化させながら、前記第２受信部による前記第１の光信号の受信品質を記録し、最も高い受信品質が記録された光の波長に前記第２光源の生成する光の波長を変更する、請求項１から３のいずれか１項に記載の光伝送システム。
【請求項５】
前記制御部は、
前記第２光源の生成する光の波長を大きくすることにより、前記第２受信部による前記第１の光信号の受信品質がより高くなる間、前記第２光源の生成する光の波長を大きくし、
前記第２光源の生成する光の波長を小さくすることにより、前記第２受信部による前記第１の光信号の受信品質がより高くなる間、前記第２光源の生成する光の波長を小さくする、請求項１から４のいずれか１項に記載の光伝送システム。
【請求項６】
前記第２伝送装置は前記第２光源が出力する前記第２の光を増幅するアンプを備え、
前記第２受信部は、前記アンプにより増幅された前記第２の光を用いて前記第２の光信号を前記コヒーレント受信する、請求項１から５のいずれか１項に記載の光伝送システム。
【請求項７】
光源と、
前記光源が出力する第１の光を変調して得られる第１の光信号を送信する送信部と、
受信した第２の光信号を、前記光源が出力する前記第１の光を用いてコヒーレント受信する受信部と、
前記受信部による前記第２の光信号の受信結果に基づいて前記第１の光の波長を制御する制御部と、
を備える、伝送装置。
【請求項８】
第１伝送装置と第１伝送装置に光通信可能に接続された第２伝送装置とを備える光伝送システムの波長制御方法であって、
前記第１伝送装置において、
第１光源が生成する第１の光を変調して得られる第１の光信号を前記第２伝送装置へ送信し、
前記第２伝送装置が送信した第２の光信号を、前記第１光源が出力する前記第１の光を用いてコヒーレント受信し、
前記第２伝送装置において、
第２光源が出力する第２の光を変調して得られる前記第２の光信号を前記第１伝送装置へ送信し、
前記第１伝送装置が送信した前記第１の光信号を、前記第２光源が出力する前記第２の光を用いてコヒーレント受信し、
コヒーレント受信した前記第１の光信号の受信結果に基づいて前記第２光源の生成する前記第２の光の波長を制御する、波長制御方法。
【発明の詳細な説明】
【技術分野】
【０００１】
以下の開示は、光伝送システム、伝送装置および波長制御方法に関する。
【背景技術】
【０００２】
大容量の情報伝送システムとして、光信号を用いる光伝送システムが実用化されている。また、光伝送システムの伝送容量を更に大きくするために、例えばコヒーレント光伝送技術が使用されている。このようなコヒーレント光伝送は、伝送装置間でネットワーク回線を介して双方向で行われる。即ち、各伝送装置はネットワーク回線に対して光の送受信を行う。
【０００３】
伝送装置には、このような光の送受信を行う機能を有する光送受信器（光モジュール）が搭載され、複数の伝送装置がネットワーク回線に接続される。複数の伝送装置に搭載される光送受信器は、それぞれ、光を送信する送信装置と光を受信する受信装置とを備えている。
【０００４】
コヒーレント光伝送技術において、受信装置は、局部発振光源の生成（発振）する光を用いてコヒーレント受信を行うことにより、ネットワーク回線から受信した光信号の光強度情報および位相情報を抽出する。
【先行技術文献】
【特許文献】
【０００５】
【特許文献１】国際公開第２０１２／１５３８５６号
【特許文献２】特開平０３−２９０６３０号公報
【発明の概要】
【発明が解決しようとする課題】
【０００６】
このように、コヒーレント光伝送技術においては、光送受信器に搭載される受信装置においても光源が必要であるため、送信装置および受信装置のそれぞれに光源が配置される。このため、送信装置と受信装置とを一体として備える光送受信器は、送信光の光源と局部発振光源との２つの光源を有することになる。結果として、コヒーレント光の伝送を行う光伝送システムにおいては、光送受信装置の小型化が困難となり、製造コストが増大してしまうという問題がある。また、これらの問題は、動作時における消費電力の増大という問題にも繋がる。
【０００７】
以上に鑑み、以下の開示の目的の一つは、伝送装置間でコヒーレント光の伝送を行う光伝送システムにおいて、各伝送装置が備える光源の数を減らすことである。
【課題を解決するための手段】
【０００８】
一側面において、光伝送システムは、第１伝送装置と、第１伝送装置と光通信可能に接続された第２伝送装置と、を備える。第１伝送装置は、第１光源と、第１送信部と、第１受信部と、を備える。第２伝送装置は、第２光源と、第２送信部と、第２受信部と、制御部とを備える。第１送信部は、第１光源が出力する第１の光を変調して得られる第１の光信号を第２伝送装置へ送信する。第１受信部は、第２伝送装置が送信した第２の光信号を、前記第１光源が出力する第１の光を用いてコヒーレント受信する。第２送信部は、第２光源が出力する第２の光を変調して得られる第２の光信号を第１伝送装置へ送信する。第２受信部は、第１伝送装置が送信した第１の光信号を、第２光源が出力する第２の光を用いてコヒーレント受信する。制御部は、第２受信部による第１の光信号の受信結果に基づいて第２光源が出力する第２の光の波長を制御する。
【発明の効果】
【０００９】
一側面として、伝送装置間でコヒーレント光の伝送を行う光伝送システムにおいて、各伝送装置が備える光源の数を減らすことができる。
【図面の簡単な説明】
【００１０】
【図１】実施形態１に係る伝送装置を用いた光伝送システムの全体図である。
【図２】実施形態１に係る伝送装置を用いたノードの機能ブロック図である。
【図３】実施形態１に係るＴＲＳＰ（ＴＲａｎＳＰｏｎｄｅｒ）の機能ブロック図である。
【図４】実施形態１に係るＴＲＳＰを用いた光伝送システムの一例を示す図である。
【図５】実施形態１に係るＴＲＳＰを用いた光伝送システムの機能ブロック図である。
【図６】（Ａ）および（Ｂ）は、光伝送システム内において入出力される光信号の波長の関係を示す図である。
【図７】実施形態１に係る伝送装置を用いた光伝送システムにおける光源の波長を制御する処理のフローチャートである。
【図８】実施形態１に係る伝送装置を用いた光伝送システムにおける光源の波長を制御する処理のフローチャートである。
【図９】実施形態２に係る伝送装置を用いた光伝送システムにおける光源の波長を制御する処理のフローチャートである。
【図１０】（Ａ）〜（Ｊ）は、図９のフローチャートが示す処理の実行例を説明する図である。
【図１１】（Ａ）および（Ｂ）は、波長の分解能を変更した場合における光源が出力する光のスペクトルと受信される光信号のスペクトルとの一例を示す図である。
【図１２】第１変形例に係る伝送装置を用いた光伝送システムの機能ブロック図である。
【図１３】第２変形例に係る伝送装置を用いた光伝送システムの機能ブロック図である。
【図１４】第３変形例に係る伝送装置を用いた光伝送システムの機能ブロック図である。
【図１５】比較例に係る伝送装置を用いた光伝送システムの機能ブロック図である。
【発明を実施するための形態】
【００１１】
以下、図面を参照して実施の形態を説明する。ただし、以下に説明する実施形態は、あくまでも例示であり、以下に明示しない種々の変形や技術の適用を排除する意図はない。なお、以下の実施形態に用いる図面において、同一符号を付した部分は、特に断らない限り、同一もしくは同様の部分を表わす。また、図面に同一または同様の部分が複数示されるときには、＃ｋ（ｋは自然数）により区別する。
【００１２】
（実施形態１）
図１は、ノード１０１＃１〜＃８を用いた光伝送システム１００の全体図である。後に説明するように、ノード１０１は、実施形態１に係る伝送装置を有する。光伝送システム１００においては、ロングホール光ネットワークの一例である地域ネットワーク（Ｒｅｇｉｏｎａｌ  Ｎｅｔｗｏｒｋ）１０２に、ノード１０１＃１〜＃８を様々なトポロジーで接続することができる。例えば、ノード１０１＃１〜＃４およびノード１０１＃５〜＃８のそれぞれにより光コア網が形成されている。また、ノード１０１＃２〜＃４は、リング状に接続され、ノード１０１＃２が、ノード１０１＃１を介して地域ネットワーク１０２に接続される。また、ノード１０１＃６〜＃８は、ツリー状に接続され、ルート（ｒｏｏｔ）に位置するノード１０１＃６が、ノード１０１＃５を介して地域ネットワーク１０２に接続されている。
【００１３】
図１に示す光伝送システム１００により、ノード１０１＃１〜＃８に種々の機器を接続し、機器間において光通信を実施することができる。
【００１４】
図２は、ノード１０１の機能ブロック図である。図２において、ノード１０１は、ＲＯＡＤＭ２０１と、第１入出力部２０２と、第２入出力部２０３とを備える。
【００１５】
ＲＯＡＤＭは、Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒの略である。ＲＯＡＤＭ２０１は、光コア網などの上位網側から光信号を分岐することにより光信号を受信したり、上位網側に光信号を送信することにより上位網側に光信号を追加したりすることができる。
【００１６】
第１入出力部２０２は、ＭＸＰ（ＭｕＸＰｏｎｄｅｒ）およびＴＲＳＰ（ＴＲａｎＳＰｏｎｄｅｒ）などとして機能する伝送装置を有している。また、第２入出力部２０３は、ＴＤＭ、Ｐａｃｋｅｔ、ＯＴＮなどとのインターフェース機能を有する装置がＵｎｉｖｅｒｓａｌ  Ｓｗｉｔｃｈ  Ｆａｂｒｉｃを介してＲＯＡＤＭに接続されている。したがって、第２入出力部２０３を用いることにより、ＴＤＭ、ＰａｃｋｅｔおよびＯＴＮのいずれかに限定されることなく、ＴＤＭ、ＰａｃｋｅｔおよびＯＴＮの相互間の通信が可能になる。なお、ＴＤＭはＴｉｍｅ  Ｄｉｖｉｓｉｏｎ  Ｍｕｌｔｉｐｌｅｘｅｒの略であり、ＯＴＮはＯｐｔｉｃａｌ  Ｔｒａｎｓｐｏｒｔ  Ｎｅｔｗｏｒｋの略である。
【００１７】
したがって、第１入出力部２０２および第２入出力部２０３により、ＲＯＡＤＭ２０１を介して、上位網側から光信号を分岐し受信したり、また、上位網に光信号を送信したりすることができる。
【００１８】
なお、第１入出力部２０２のＭＸＰおよびＴＲＳＰ、ならびに、第２入出力部２０３のＴＤＭ、Ｐａｃｋｅｔ、ＯＴＮおよびＵｎｉｖｅｒｓａｌ  Ｓｗｉｔｃｈ  Ｆａｂｒｉｃは、筐体に挿抜なカードの形態として提供されていてもよい。別言すれば、ＭＸＰ、ＴＲＳＰ、ＴＤＭ、Ｐａｃｋｅｔ、ＯＴＮおよびＵｎｉｖｅｒｓａｌ  Ｓｗｉｔｃｈ  Ｆａｂｒｉｃの機能は、ノード１０１の筐体を構成するモジュールとして提供され、モジュールの形態がカード形式となっていてもよい。
【００１９】
伝送装置の一例としてＴＲＳＰについて説明する。図３は、ＴＲＳＰ３０１の機能ブロック図である。ＴＲＳＰ３０１は、送受信部３０２と、ＤＳＰ３０３と、フレーマ３０４と、ＣＦＰ３０５とを備える。ＤＳＰは、Ｄｉｇｉｔａｌ  Ｓｉｇｎａｌ  Ｐｒｏｃｅｓｓｏｒの略であり、ＣＦＰは、Ｃｅｎｔｕｍ  Ｇｉｇａｂｉｔ  Ｆｏｒｍ  Ｆａｃｔｏｒ  Ｐｌｕｇｇａｂｌｅの略である。
【００２０】
ＣＦＰ３０５は、トランシーバの一例である。トランシーバは、送受信部３０２を介して送受信されるデータを入出力するインターフェースである。ＴＲＳＰ３０１の外部より受信された光信号は、送受信部３０２、ＤＳＰ３０３およびフレーマ３０４を介して電気信号に変換され、ＣＦＰ３０５に接続される機器に出力される。また、ＣＦＰ３０５に接続される機器から入力された電気信号は、フレーマ３０４、ＤＳＰ３０３および送受信部３０２を介して最終的に光信号に変換され、当該光信号がＴＲＳＰ３０１の外部に出力される。
【００２１】
フレーマ３０４は、ＣＦＰ３０５を介して入出力される電気信号（例えばアナログ電気信号）のデータと、フレーム形式のデジタルデータと、の間の変換を実施する。別言すれば、フレーマ３０４は、ＤＳＰ３０３から出力される信号をフレーム形式のデジタルデータへ復調し、復調された信号をＣＦＰ３０５に出力する。また、フレーマ３０４は、ＣＦＰ３０５が出力する電気信号をフレーム形式のデジタルデータに変換し、変換されたデジタルデータをＤＳＰ３０３に出力する。
【００２２】
ＤＳＰ３０３は、デジタル信号を処理するプロセッサである。ＤＳＰ３０３は、フレーマ３０４が出力するフレーム形式のデジタル信号を多重化し、多重化信号を送受信部３０２に出力する。また、ＤＳＰ３０３は、送受信部３０２が受信した光信号のデジタル信号への変換およびデジタル信号処理を実施した結果の信号をフレーマ３０４に出力する。ＤＳＰ３０３は、プログラムを実行するプロセッサおよびメモリを有することができる。プロセッサがプログラムを実行することにより、光伝送路を光信号が伝送される際の波形の歪などの影響が除去され得る。また、ＤＳＰ３０３は、プログラムを用いることなく、ハードウェアを含むようにすることもできる。
【００２３】
送受信部３０２は、ＤＳＰ３０３の出力する多重化信号により光信号を変調し、変調された光信号を送信する。また、送受信部３０２は、コヒーレント受信した光信号を電気信号に変換し、変換された電気信号をＤＳＰ３０３へ出力する。
【００２４】
送受信部３０２は、光信号を送受信するので、「光送受信器」と呼称される場合がある。
【００２５】
なお、伝送装置の一例であるＴＲＳＰ３０１は、送受信部３０２、ＤＳＰ３０３、フレーマ３０４およびＣＦＰ３０５をモジュールとして備えていてもよい。例えば送受信部３０２は、ＴＲＳＰ３０１に挿抜可能な光送受信モジュールとしてそなえられていてもよい。
【００２６】
図４は、複数地点間での光通信を実施する光伝送システムの一例である。別言すれば、ＴＲＳＰ３０１＃１および３０１＃２を複数地点のうちの２地点に設置し、光伝送路により接続することにより、光通信を実現することができる。図４に示すように、２地点にそれぞれ設置されたＴＲＳＰ３０１＃１とＴＲＳＰ３０１＃２とが光伝送路４０１を介して対向して接続されることになる。なお、図４に、さらに、ＴＲＳＰ３０１＃１とＴＲＳＰ３０１＃２との間に設置される光中継器、また、ＴＲＳＰ３０１＃１とＴＲＳＰ３０１＃２がノードに備えられていてもよい。
【００２７】
図５は、図４に示したようにＴＲＳＰ３０１＃１とＴＲＳＰ３０１＃２とが対向して接続されている光伝送システム５００のより詳細な機能ブロック図である。
【００２８】
ＴＲＳＰ３０１＃１は、送信部５０１＃１および受信部５０２＃１を有する。送信部５０１＃１および受信部５０２＃１が、図３に示すＴＲＳＰ３０１の送受信部３０２（光送受信器）に対応する。また、ＴＲＳＰ３０１＃２は、送信部５０１＃２および受信部５０２＃２を有する。送信部５０１＃２および受信部５０２＃２が、図３に示す別のＴＲＳＰ３０１の送受信部３０２に対応する。なお、送信部５０１＃１および受信部５０２＃１が対応する送受信部３０２を有するＴＲＳＰ３０１と、送信部５０１＃２および受信部５０２＃２が対応する送受信部３０２を有するＴＲＳＰ３０１とは、異なるＴｒａｎｓｐｏｎｄｅｒとする。
【００２９】
送信部５０１＃１と受信部５０２＃２とが光伝送路４０１＃１により接続され、送信部５０１＃２と受信部５０２＃１とが光伝送路４０１＃２により接続されている。光伝送路４０１＃１および４０１＃２は、図５に示すように異なる光伝送路であってもよいし、図４の光伝送路４０１として示すように、双方向に光信号を伝送する１つの光伝送路となっていてもよい。
【００３０】
また、ＴＲＳＰ３０１＃２には、制御部５２１が備わっている。制御部５２１は、光源５０４＃２が生成し出力する光の波長を制御する。図５に示すように、制御部５２１は、ＴＲＳＰ３０１＃２に備わっているが、ＴＲＳＰ３０１＃１には備わっていなくてもよい。あるいは、ＴＲＳＰ３０１＃１にも制御部５２１が備わっていてもよい。
【００３１】
なお、ＴＲＳＰ３０１＃１とＴＲＳＰ３０２＃２との両方に制御部５２１が備わっているときには、光伝送システム５００の運用時には、どちらか一方が動作するのが好ましい。例えば、ＴＲＳＰ３０１＃１とＴＲＳＰ３０１＃２とのうち電源投入の早い方の制御部５２１が作動し、遅い方の制御部５２１が作動しないようになっていてもよい。あるいは、ＴＲＳＰ３０１＃１とＴＲＳＰ３０１＃２とが製造番号などの異なる番号を記憶しておいてもよい。ＴＲＳＰ３０１＃１とＴＲＳＰ３０１＃２との互いが、記憶している製造番号を交換し合い、例えば製造番号の大きい方の制御部５２１が動作し、製造番号の小さい方の制御部５２１が動作しないようになっていてもよい。制御部５２１を動作させるかどうかは、例えば図示されていない選択制御部により選択され得る。
【００３２】
図５において、受信部５０２＃１の構成と受信部５０２＃２の構成とは同一であり、送信部５０１＃１の構成と送信部５０１＃２の構成とはほぼ同様である。そこで、以下では、送信部５０１＃１と送信部５０１＃２とのいずれかの部分について説明する場合には、＃ｋ（ｋ＝１または２）を付して区別し、それ以外の部分については、＃ｋを省略する場合がある。
【００３３】
送信部５０１は、ＭＵＸ３０３−１と、変調部５０３と、光源５０４と、光分岐部５０５とを有する。
【００３４】
ＭＵＸ３０３−１は、フレーマ３０４から入力されるフレーム形式のデジタル信号を多重化して変調部５０３に出力する。なお、ＭＵＸ３０３−１は、ＤＳＰ３０３の一部であるとしてよい。
【００３５】
光源５０４は、光を出力（生成）する。あるいは、光源５０４は光を発振すると呼称する場合があり、出力される光の波長を発振波長と呼称する場合がある。光源５０４が出力した光は、光分岐部５０５に出力される。光源５０４が出力する光はコヒーレントな光であり、コヒーレントな光の一例としてはレーザ光がある。光源５０４の一例としては、レーザーダイオードがある。
【００３６】
光源５０４＃１および５０４＃２のうち、光源５０４＃１が出力する光の波長（あるいは周波数）は固定されていてもよい。一方、光源５０４＃１および５０４＃２のうち、光源５０４＃２が出力する光の波長は、制御部５２１による制御により、可変となっている。例えば、複数の光波長から波長の選択が可能となっており、制御部５２１は、選択された波長の光を光源５０４＃２に出力させるようになっていてもよい。また、制御部５２１は、選択された波長の近傍の波長に光源５０４＃２の出力する光の波長を変更（調整）することができる。
【００３７】
光分岐部５０５は、光源５０４の出力した光を分岐し、一方の光を変調部５０３に出力し、他方の光を受信部５０２に出力する。光分岐部５０５による光の分岐比は、例えば１：１など、適宜設定される。光分岐部５０５の一例としては、スプリッタ（あるいはカプラ）を挙げることができる。
【００３８】
したがって、変調部５０３および受信部５０２には、同じ波長の光が光分岐部５０５から出力される。
【００３９】
なお、光源５０４は、図５においては送信部５０１の内部に配置されている。別言すれば、光源５０４が送信部５０１に一体化されている。これにより、光通信に用いる機器の数を減らし、機器間の接続を容易とすることができる。ただし、光源５０４は、送信部５０１の内部に配置されることには限定されない。例えば、後に説明するように、受信部５０２の内部に光源５０４が配置されていてもよい。
【００４０】
したがって、送受信部３０２（光送受信器）は、光源５０４と、送信部５０１と、受信部５０２とを備えているといえる。
【００４１】
また、ＴＲＳＰ３０１の外部に光源５０４が配置されていてもよく、光源５０４から光分岐部５０５までは導波路により接続される。このように、ＴＲＳＰ３０１の外部に光源５０４が配置されることにより、ＴＲＳＰ３０１の小型化を実現することができる。
【００４２】
変調部５０３は、光分岐部５０５から出力される光を、ＭＵＸ３０３−１からの出力信号に応じて変調し、変調された光信号を出力する。したがって、光分岐部５０５が分岐した一方の光が変調され光信号となる。図５に示す変調部５０３は、４つのエレメントを有しており、各エレメントに、光分岐部５０５からの光が供給される。変調部５０３のエレメントとしては、例えばマッハツェンダ変調器を用いることができる。
【００４３】
図５に示す変調部５０３が４つのエレメントを有する場合には、偏波多重を実施することができる。別言すれば、４つのうちの２つのエレメントには、Ｘ偏波信号ＸＩ＋ｊＸＱ（ｊは虚数単位）のＸＩおよびＸＱが出力され、残りの２つのエレメントには、Ｙ偏波信号ＹＩ＋ｊＹＱのＹＩおよびＹＱが出力される。
【００４４】
なお、変調部５０３による変調方式は、対向するＴＲＳＰ３０１の受信部５０２によりコヒーレント光伝送が可能な方式であれば、偏波多重方式に限定されることはない。したがって、変調部５０３のエレメントの数は、変調方式に応じて適宜選択され得る。
【００４５】
偏波多重が行なわれる場合、変調部５０３のエレメントの出力光は、Ｘ偏波信号ＸＩ＋ｊＸＱに対応する光信号が多重化されＸ偏波信号に対応するＸ偏波光となる。また、Ｙ偏波信号ＹＩ＋ｊＹＱに対応する光信号が多重化されＹ偏波信号に対応するＹ偏波光となる。Ｘ偏波光とＹ偏波光とが偏光ビームコンバイナに入力され、Ｘ偏波光とＹ偏波光とが偏波多重された光信号となり、当該光信号が変調部５０３から光伝送路４０１に出力される。
【００４６】
受信部５０２は、９０度光ハイブリッド回路５０７および５０８と、アンプ５０９および５１０と、ＡＤＣ（Ａｎａｌｏｇ  Ｄｉｇｉｔａｌ  Ｃｏｎｖｅｒｔｏｒ）／ＤＳＰ３０３−２と、を有する。
【００４７】
光伝送路４０１から伝送された光が、第１の偏光ビームスプリッタに入力され、第１の偏光ビームスプリッタから互いに直交する１組の偏波光が９０度光ハイブリッド回路５０７および５０８のそれぞれに入力される。別言すれば、９０度光ハイブリッド回路５０７および５０８の一方には、Ｘ偏波信号により変調された偏波光が入力され、他方には、Ｙ偏波信号により変調された偏波光が入力される。
【００４８】
また、９０度光ハイブリッド回路５０７および５０８のそれぞれには、光分岐部５０５により分岐された他方の光が受信部５０２に導かれ、第２の偏光ビームスプリッタにより互いに直交する１組の偏波光に分離される。第２の偏光ビームスプリッタにより分離された光の一方が９０度光ハイブリッド回路５０７に導かれ、他方が９０度光ハイブリッド回路５０８に導かれる。
【００４９】
９０度光ハイブリッド回路５０７には、第１の偏光ビームスプリッタの出力の一方と第２の偏光ビームスプリッタの出力の一方とが入力される。この結果、９０度光ハイブリッド回路５０７から、Ｘ偏波信号に対応するＩ成分光（ＸＩに対応する光信号）とＱ成分光（ＸＱに対応する光信号）とに対応する電気信号が出力される。また、９０度光ハイブリッド回路５０８には、第１の偏光ビームスプリッタの出力の他方と第２の偏光ビームスプリッタの出力の他方とが入力され、Ｙ偏波信号に対応するＩ成分光とＱ成分光とが出力される。したがって、送信部５０１の光源５０４は、受信部５０２の局部発振光源としても機能する。別言すれば、送信部５０１の光源５０４により出力された光のうち、光分岐部５０５により受信部５０２に導かれた光を、コヒーレント受信における局所発振光源光として用いることができる。
【００５０】
９０度光ハイブリッド回路５０７および５０８が出力する電気信号は、アンプ５０９および５１０に入力され、増幅される。
【００５１】
アンプ５０９および５１０により増幅された電気信号は、ＡＤＣ／ＤＳＰ３０３−２に入力され、デジタル信号に変換され、デジタル信号処理を経て、フレーマ３０４に出力される。デジタル信号処理として、例えば、光伝送路４０１により発生する波形歪を補償し、また、波長分散を補償する処理がされる。なお、ＡＤＣ／ＤＳＰ３０３−２は、ＤＳＰ３０３の一部であるとしてよい。
【００５２】
上述のように、送信部５０１＃１の変調部５０３＃１と、受信部５０２＃１の９０度光ハイブリッド回路５０７および５０８とには、光分岐部５０５＃１から同じ波長の光が入力される。また、送信部５０１＃２の変調部５０３＃２と、受信部５０２＃２の９０度光ハイブリッド回路５０７および５０８とにも、光分岐部５０５＃２から同じ波長の光が入力される。
【００５３】
以上の構成によれば、送信部５０１および受信部５０２につき１つの光源５０４を配置し、光源５０４を共用することにより、ＴＲＳＰ３０１が有する光源を１つに減らすことができる。したがって、ＴＲＳＰ３０１が有する光源を１つ分のスペースを削減でき、ＴＲＳＰ３０１を小型化することができる。また、光源を１つに減らすことにより、伝送装置の製造コストを削減することができ、伝送装置の動作時の消費電力を削減することもできる。
【００５４】
なお、変調部５０３＃１に光分岐部５０５＃１から出力される光の波長と、９０度光ハイブリッド回路５０７＃１および５０８＃１が光伝送路４０１＃２から受信する光信号の中心波長（搬送波波長）とが一致するとは限らない。また、変調部５０３＃２に光分岐部５０５＃２から出力される光の波長と、９０度光ハイブリッド回路５０７＃２および５０８＃２が光伝送路４０１＃１から受信する光の中心波長とが一致するとは限らない。このため、光源５０４＃１および光源５０４＃２の少なくとも一方の出力する光の波長の制御（調整）が実施される。
【００５５】
以下では、光源５０４＃１および光源５０４＃２の一方の出力する光の波長を調整する例を説明する。したがって、以上の構成により、光源５０４の出力する光の波長の調整を簡便に行なうこともできる。
【００５６】
図６（Ａ）および図６（Ｂ）は、光伝送システム５００において入出力される光の関係を示す図である。
【００５７】
図６（Ａ）を参照すると、送信部５０１＃１の光源５０４＃１によりλ１の波長の光が出力されることを想定する。受信部５０２＃２は、変調部５０３＃１の変調のためと光伝送路４０１＃１による波長分散のためとにより、搬送波波長λ１を中心とし、±Δ１の広がりを有する光信号を受信することになる。同様に、送信部５０１＃２の光源５０４＃２によりλ２の波長の光が出力されると、受信部５０２＃１は、搬送波波長λ２を中心とし、±Δ２の広がりを有する光信号を受信することになる。
【００５８】
また、受信部５０２＃１へは、送信部５０１＃１の光源５０４＃１により出力されるλ１の波長の光が出力され、受信部５０２＃２へは、送信部５０１＃２の光源５０４＃２により出力されるλ２の波長の光が出力されることになる。
【００５９】
λ１とλ２との差が大きいほど、受信部５０２におけるコヒーレント受信の受信品質は低下する。受信品質の低下は、アンプ５０９および５１０の出力電流が低下し、また、フレーマ３０４における復調信号のエラーレートが増加することにより検出される。そこで、アンプ５０９および５１０を受信品質の検出部として用いることができる。また、フレーマ３０４を受信品質の別の検出部として用いることができる。また、さらに別の検出部として、受信部５０２＃２の受信する受信光と光分岐部５０５＃２により分岐された光との周波数の一致の程度を測定する干渉計を用いることもできる。
【００６０】
制御部５２１により、λ２をλ１に等しくなるよう調整すると、図６（Ｂ）に示すように、受信部５０２＃２は、λ１を中心とし、±Δ１の広がりを有する光信号を受信し、また、光分岐部５０５＃２からλ１の波長を有する光信号が入力される。別言すると、９０度光ハイブリッド回路５０７および５０８が受信する光信号の搬送波波長と光分岐部５０５＃２から受ける光の波長とが一致する。したがって、受信部５０２＃２における受信品質は高くなる。また同様に、受信部５０２＃１においても、搬送波波長λ１を中心とし±Δ３の広がりを有する光信号が受信され、光分岐部５０５＃１からλ１の波長を有する光が入力される。結果として、受信部５０２＃１における受信品質も高くなる。
【００６１】
別言すると、受信部５０２＃２における受信品質がより高くなるように制御部５２１により光源５０４＃２の波長を制御すると、受信部５０２＃１における受信品質をより高くすることができる。さらに別言すれば、光源５０４＃２の波長を制御することにより、受信部３０１＃１における受信品質の制御と、受信部３０１＃２における受信品質の制御との両方を行なうことができる。
【００６２】
以下では、制御部５２１による光源５０４＃２の波長の制御の処理について説明する。
【００６３】
図７は、複数の波長から、光源５０４＃２の出力する光の波長の選択が可能である場合の制御部５２１による処理のフローチャートである。別言すれば、図７は、光源５０４＃２の出力する光の波長が例えば２０ｎｍ間隔で複数の波長から選択可能である場合、どの波長を選択するべきかを決定するフローチャートである。光源５０４＃２の出力する光の波長を選択しなくてもよい場合には、図７の処理を実施せずに図８の処理を実施する。
【００６４】
図７の処理を実施する際には、光源５０４＃１および５０４＃２に光を出力させ、光信号を送信部５０１＃１および５０１＃２から光伝送路４０１＃１および４０１＃２に出力する。
【００６５】
ステップＳ７０１の処理として、変数ｎを１により初期化する。変数ｎは、選択される波長の番号である。ステップＳ７０２の処理として、光源５０４＃２の出力する光の波長として第ｎ波長を選択する。ステップＳ７０３において、出力が検出されるかどうか判断する。出力が検出されるとは、アンプ５０９＃２および５１０＃２の少なくとも一方の出力する電気信号の電流値が０でないことをいう。あるいは、出力が検出されるとは、フレーマ３０４＃２による復調の結果が良好である（エラーレートが例えば３％より小さい）ことをいう。
【００６６】
ステップＳ７０３において出力が検出された場合には、処理をＹＥＳに分岐させ、ステップＳ７０４の処理として、第ｎ波長における微調整処理を実施する。微調整処理は、図８に示されるフローチャートに従う処理である。
【００６７】
ステップＳ７０３において出力が検出されない場合には、処理をＮＯに分岐させ、ステップＳ７０５の処理として、変数ｎの値を１増加させる。ステップＳ７０６において、ｎの値が所定の数ＭＡＸを超えているかどうかを判断する。ＭＡＸは、光源５０４＃２の出力する光の波長を選択できる波長の個数であってよい。
【００６８】
ステップＳ７０６において、ｎがＭＡＸを超えていれば、処理をＹＥＳに分岐させ、ステップＳ７０７の処理として、エラー処理を実施する。例えば、ＴＲＳＰ３０１＃２の有する表示装置などにエラーの表示を実施する。
【００６９】
ステップＳ７０６において、ｎがＭＡＸを超えていなければ、処理をＮＯに分岐させ、ステップＳ７０２に処理を戻す。
【００７０】
続いて図８を参照する。図８のフローチャートを実行するときには、光源５０４＃１の出力する光の波長と光源５０４＃２の出力する光の波長とが同一であるか近似している。別言すれば、アンプ５０９＃２および５１０＃２の少なくとも一方の出力する電気信号の電流値が０でないか、フレーマ３０４＃２による復調の結果が良好となっている。
【００７１】
図８は、光源５０４＃２の発振波長の調整が可能な範囲の下限から上限までを所定のステップ幅δで走査し、受信品質を測定しメモリなどに記録し、より高い受信品質が検出された波長の光を、光源５０４＃２に出力させる処理である。
【００７２】
ステップＳ８０１の処理として、変数ｌへ、選択された波長の調整が可能な下限の波長を代入する。ステップＳ８０２において、変数ｕへ、選択された波長の調整が可能な上限の波長を代入する。また、ステップＳ８０３において、変数ｍに０を代入する。変数ｍは、光源５０４＃２の出力する波長の設定回数を表わす。なお、選択された波長の調整が可能な下限の波長以上であり、上限の波長以下の部分を選択波長域という場合がある。
【００７３】
ステップＳ８０４の処理として、光源５０４＃２の発振波長を変数ｌの値で特定される波長に設定する。
【００７４】
ステップＳ８０５の処理として、配列ｒの要素ｒ［ｍ］に、現在の受信品質を代入し記録する。現在の受信品質は、アンプ５０９＃２および５１０＃２の出力電流値のうちのいずれかまたは両方、あるいは、フレーマ３０４＃２による復調のエラーレートによる受信品質の表現値である。なお、アンプ５０９＃２および５１０＃２の出力電流値の両方を用いる場合には、両方の平均を算出したり、両方の最小値を算出したり、両方の最大値を算出したりした値を要素ｒ［ｍ］に代入することができる。
【００７５】
ステップＳ８０６の処理として、変数ｍの値を１増加させる。また、ステップＳ８０７の処理として、変数ｌの値をδ増加させる。
【００７６】
ステップＳ８０８の処理として、変数ｌの値が変数ｕの値を超えているかどうか判断する。
【００７７】
ステップＳ８０８の処理において、変数ｌの値が変数ｕの値を超えていなければ、調整が可能な波長の上限を超えていないので、処理をＮＯに分岐させ、ステップＳ８０４の処理を再び行なう。
【００７８】
ステップＳ８０８の処理において、変数ｌの値が変数ｕの値を超えていれば、調整が可能な波長の範囲を走査したので、処理をＹＥＳに分岐させ、ステップＳ８０９の処理を実施する。
【００７９】
ステップＳ８０９の処理として、配列ｒの要素ｒ［０］、ｒ［１］、…、ｒ［ｍ−１］の値が表わす受信品質のうち、受信品質のより高い値が格納されたｒ［ｉ］を特定する。例えば、ｒ［０］、ｒ［１］、…、ｒ［ｍ−１］の値が表わす受信品質のうち最も高い値が格納されたｒ［ｉ］を求める。受信品質として、電流値を用いる場合には、最大の電流値が代入されている配列ｒの要素を特定し、受信品質として、デジタル復調のエラーレートを用いる場合には、最小のエラーレートが代入されている配列ｒの要素を特定する。
【００８０】
ステップＳ８１０の処理として、光源５０４＃２の発振波長を、選択波長域の下限の波長にｉ・δを加えた波長に設定する。
【００８１】
以上のように、本実施形態においては、送信部５０１＃１および５０１＃２のうちの送信部５０１＃２に備えられた光源５０４＃２の波長を調整することができる。これにより、送信部５０１＃１および５０１＃２の両方に設けられた２つの光源５０４＃１および５０４＃２の出力する波長を同じにすることができる。また、選択可能な波長が複数ある場合には、波長を選択し、選択された波長の範囲を走査し微調整することにより、波長の選択および調整を効率よく行なうことができる。また、送信部５０１＃１および５０１＃２のそれぞれにおいて、局部発振光源と送信光の光源とを１つの光源５０４＃１および５０４＃２としているので、光源の数を減らすことができる。
【００８２】
（実施形態２）
実施形態１で説明した図８の処理は、選択された波長の範囲を走査し、受信品質がより高くなる波長を探索する。一方、波長λを中心とし、±Δの範囲に広がっている場合は、受信される光信号のスペクトルの形状は上に凸であり、受信品質が極大となる波長と受信品質が最良となる波長とは一致すると考えられる。そこで、図８のフローチャートの処理を変形した処理として、図９のフローチャートの処理を説明する。
【００８３】
以下に説明するように、図９のフローチャートの処理は、光源５０４＃１の出力する光の波長と光源５０４＃２の出力する光の波長とが一致していることを確認する処理であると考えることができる。また、図９のフローチャートの処理は、光源５０４＃１の出力する光の波長と光源５０４＃２の出力する光の波長が同一でないが、近似している場合、同一になるように制御する処理でもある。
【００８４】
ステップＳ９０１において、変数ｄにδを代入する。δは、図９のフローチャートの処理の入力パラメータであり、波長を変更するステップ幅を定める。δの値は、図８のフローチャートの処理で使用するδの値と異なっていてもよい。また、δは０でなければよく、負の値であってもよい。
【００８５】
ステップＳ９０２において、変数ｐに光源５０４＃２の現在の発振波長を代入する。
【００８６】
ステップＳ９０３の処理として、変数ｑに現在の受信品質を表わす値を代入する。受信品質がアンプ５０９＃２および５１０＃２が出力する電流値によって表現される場合には、当該電流値を取得して変数ｑに代入する。また、受信品質が、フレーマ３０４＃２の復調のエラーレートの値によって表現される場合には、当該エラーレートの値を取得して変数ｑに代入する。
【００８７】
ステップＳ９０４において、変数ｐの値に変数ｄの値を加えた値を変数ｐに代入する。
【００８８】
ステップＳ９０５において、光源５０４＃２の発振波長を変数ｐの値に設定する。
【００８９】
ステップＳ９０６において、変数ｑの値と、現在の受信品質を表現する値とを比較し、実質的に等しいかどうかを判断する。ここで、２つの値が実質的に等しいとは、２つの値の差の絶対値が所定の値以下であることをいう。例えば、所定の値としては、アンプ５０９＃２および５１０＃２の出力電流の最大値の１％とすることができる。別言すれば、発振波長の変化に対する受信品質の変動量が小さい発振波長を検出する。
【００９０】
また、所定の値は、δの値に応じて設定することもできる。δの値が小さいほど、所定の値を小さくすることができ、より精密に光源５０４＃１の出力する光の波長と５０４＃２の出力する光の波長を一致させることができる。
【００９１】
ステップＳ９０６において、変数ｑの値と、現在の受信品質を表現する値とが実質的に等しければ、ステップＳ９０７に処理を移し、光源５０４＃２の発振波長をｐ−ｄ／２の値に設定する。そして、処理を終了する。当該設定および終了の理由は、変数ｑの値と現在の受信品質を表現する値とが実質的に等しければ、ｐ−ｄの値とｐの値との間に受信品質の極大値が存在すると推定できることである。
【００９２】
ステップＳ９０６において、変数ｑの値と、現在の受信品質を表現する値とが実質的に等しくなければ、ステップＳ９０８に処理を移す。
【００９３】
ステップＳ９０８において、ｑと現在の受信品質を表現する値とを比較し、発振波長を変更して受信品質が改善した（「ｑ＜現在の受信品質」の場合）か、受信品質が低下した（「ｑ＞時現在の受信品質」の場合）かを判断する。別言すれば、受信品質を表現する値が、アンプ５０９＃２および５１０＃２の出力する電流値であれば、その大小関係をそのまま比較する。また、受信品質を表現する値が、フレーマ３０４＃１による復調のエラーレートの値であれば、エラーレートが小さくなっていれば、受信品質がより高くなったと判断する。
【００９４】
ステップＳ９０８において、「ｑ＜現在の受信品質」と判断される場合には、ステップＳ９０３へ処理を移す。「ｑ＜現在の受信品質」と判断されれば、発振波長を変更させ続ければ、受信品質の極大値に到達すると考えられるので、ステップＳ９０３へ処理を移す。
【００９５】
一方、ステップＳ９０８において、「ｑ＞現在の受信品質」と判断される場合には、ステップＳ９０３に処理を移す。「ｑ＞現在の受信品質」と判断されれば、発振波長をδ変更させることにより、受信品質が低下したので、発振波長を−δ変更させることにより、受信品質の極大値に到達すると考えられる。そこで、ステップＳ９０９において、ｄに−ｄを代入し、ステップＳ９１０において、変数ｐの値に変数ｄの値を加えて変数ｐに代入する。ステップＳ９１１において、光源の発振波長を変数ｐの値に設定し、ステップＳ９０３へ処理を移行させる。
【００９６】
図１０は、図９のフローチャートが示す処理の実行例の一例を示す図である。図１０（Ａ）および図１０（Ｂ）は、図９のフローチャートが示す処理を実行する前の品質を説明する図である。図１０（Ａ）は、受信部５０２＃２が送信部５０１＃１から受信する光信号のスペクトル１００２と、光源５０４＃２が出力する光のスペクトル１００３を示す図である。図１０（Ｂ）は、受信部５０２＃１が送信部５０１＃２から受信する光信号のスペクトル１００４と、光源５０４＃１が出力する光のスペクトル１００１を示す図である。
【００９７】
図１０（Ａ）の波長軸に示されるように、受信部５０２＃２が送信部５０１＃１から受信する光信号は、中心の波長をＲとし、±Δの広がりを有し、光源５０４＃２が出力する光の波長Ｌは、Ｒよりも大きい。同様に、図１０（Ｂ）の波長軸に示されるように、受信部５０２＃１が送信部５０１＃２から受信する光信号は、中心の波長をＬとし、±Δの広がりを有している。なお、説明を簡単にするために、光信号１００２の広がりと光信号１００４の広がりとを同じであるとしたが、異なっていてもよい。
【００９８】
図１０（Ａ）および図１０（Ｂ）の状態において、ステップＳ９０１からステップＳ９０３が実行されると、変数ｐの値は、Ｌとなり、変数ｑには、受信部５０２＃２における現在の受信品質を表わす値が代入される。例えば、変数ｑには、図１０（Ａ）の波長軸から、スペクトル１００３の線分がスペクトル１００２に交差するまで、の長さ代入される。
【００９９】
次にステップＳ９０４およびＳ９０５が実行されると、図１０（Ｃ）および図１０（Ｄ）に示されるように、送信部５０１＃２の光源５０４＃２の発振波長がＬ＋δとなり、受信部５０２＃２の受信する光信号は、スペクトル１００６を有することになる。この品質でステップＳ９０６を実行すると、現在の受信品質を表わす値は、図１０（Ｃ）の波長軸から、スペクトル１００５の線分がスペクトル１００２に交差するまでの長さに相当する値となる。ステップＳ９０６において、変数ｑの値と現在の受信品質を表わす値とが実質的に等しくないとすると、処理はステップＳ９０８に移行することになる。ここでは、「ｑ＞現在の受信品質」が成立し、また、変数ｑの値と現在の受信品質を表わす値とが実質的に等しくないことを仮定する。
【０１００】
ステップＳ９０８においては、「ｑ＞現在の受信品質」が成立するので、処理がステップＳ９０９に移行し、ｄに−ｄが代入され、ステップＳ９０９において、変数ｐには、Ｌが代入され、ステップＳ９１１において、光源５０４＃２の発振波長はＬになる。別言すれば、図１０（Ｅ）および図１０（Ｆ）に示すように、光源５０４＃２の出力する光は、スペクトル１００７を有し、受信部５０２＃１が受信する光信号は、スペクトル１００８となる。
【０１０１】
図１０（Ｅ）および図１０（Ｆ）の品質において、ステップＳ９０３が実行されると、変数ｑには、波長軸から、半直線１００７が波形１００２に交差するまでの長さが代入される。
【０１０２】
次にステップＳ９０４およびＳ９０５が実行されると、光源５０４＃２の出力する光の波長がＬ−δとなる。これにより、図１０（Ｇ）に示されるように、光源５０４＃２の出力する光は、スペクトル１００９を有し、図１０（Ｈ）に示されるように、受信部５０２＃１が受信する光信号は、スペクトル１０１０を有する。この品質でステップＳ９０６を実行すると、現在の受信品質を表わす値は、図１０（Ｇ）の波長軸から、スペクトル１００９の線分がスペクトル１００２に交差するまでの長さとなる。ステップＳ９０６において、変数ｑの値と現在の受信品質を表わす値とが実質的に等しいと仮定すると、処理はステップＳ９０７に移行する。
【０１０３】
ステップＳ９０７において、光源５０４＃２の発振波長をｐ−ｄ／２に設定する。このとき、変数ｐには、Ｌ−δが代入されており、ｄには、−δが代入されているので、ステップＳ９０７の処理の実行により、光源５０４＃２の出力する光の波長は、Ｌ−δ／２に設定されることになる。図１０（Ｉ）および図１０（Ｊ）を参照すると、光源５０４＃２の出力する光は、スペクトル１０１１を有し、受信部５０２＃１が受信する光は、スペクトル１０１２となる。
【０１０４】
図１０（Ｉ）および図１０（Ｊ）を参照すると、Ｌ−δ／２とＲとがほぼ等しくなっている。また、図１０（Ｉ）および図１０（Ｊ）を参照すると、受信部５０２＃２の受信する光信号が有するスペクトル１００２と、受信部５０２＃１の受信するスペクトル１０１２もほぼ等しくなっている。
【０１０５】
したがって、送信部５０１＃２の光源５０４＃２の発振波長の制御により、送信部５０１＃１の光源５０４＃１の発振波長と送信部５０１＃２の光源５０４＃２の発振波長とを同一にすることができる。
【０１０６】
なお、図９のフローチャートにおいては、発振波長のステップ幅は、δであるので、ステップＳ９０７において設定される光源５０４＃２の発振波長は、理想的な発振波長と最大±δの相違があり得る。なお、理想的な発振波長とは、送信部５０１＃１の光源５０４＃１の発振波長である。
【０１０７】
そこで、図１１（Ａ）および図１１（Ｂ）に示すように、波長軸の精度を例えば１０倍にして再度、図９の処理を実施する。波長軸の精度を１０倍にすることは、δを１０分の１にして再度図９に示すフローチャートの処理を実行することに相当する。波長軸の精度を上げると、図１１（Ａ）に示すように、受信部５０２＃２が送信部５０１＃１から受信する光信号のスペクトル１０１４の中心と、光源５０４＃２が出力する光のスペクトル１０１５との違いがより明確となる。同様に、図１１（Ｂ）に示すように、受信部５０２＃１が送信部５０１＃２から受信する光信号のスペクトル１０１６の中心と、光源５０４＃１が出力する光のスペクトル１０１３との違いもより明確となる。なお、δを例えば１０分の１にするように変更する場合には、ステップＳ９０６において、ｑと現在の受信品質を表わす値とが実質的に等しいかどうかを判断するときの所定の値も適宜変更される。
【０１０８】
以上のように本実施形態においては、図８に示すフローチャートの処理のように選択された波長の調整可能な下限から上限までの全ての範囲を走査しないようにすることができ、より効率的に発振波長の制御を実施することができる。
【０１０９】
（変形例）
以下において、上記の実施形態の変形例について説明する。
【０１１０】
図１２は、第１変形例に係るＴＲＳＰ３０１＃２を含む光伝送システムの機能ブロック図である。図５に示す機能ブロック図との違いは、図５に示す送信部５０１＃２の光源５０４＃２が、送信部５０１＃２内に位置するのではなく、送信部５０１＃２と受信部５０２＃２との外に配置されている光源１２１１となっている点である。
【０１１１】
光源１２１１が出力した光は、光分岐部１２１２に入力されると、送信部５０１＃２および受信部５０２＃２のそれぞれに分岐される。これにより、例えば、光分岐部１２１２から変調部５０３＃２までの導波路の長さと、光分岐部１２１２から９０度光ハイブリッド回路５０７＃２および５０８＃２までの導波路の長さを等しくし、導光路における光の損失量を等しくすることができる。したがって、例えば光分岐部１２１２の光の分岐比の設定を精密に行なうことができる。
【０１１２】
図１３は、第２変形例に係るＴＲＳＰ３０１＃２を含む光伝送システムの機能ブロック図である。図５に示す機能ブロック図との違いは、図５に示す送信部５０１＃２の光源５０４＃２が、送信部５０１＃２内に位置するのではなく、受信部５０２＃２に配置されている光源１３１１となっている点である。
【０１１３】
光源１３１１が出力した光は、光分岐部１３１２に入力されると、９０度光ハイブリッド回路５０７＃２および５０８＃２に向かう光と送信部５０１＃２に向かう光とに分岐される。
【０１１４】
光源５０４＃２および光源１３１１は熱を発し、発する熱の量は、制御部５２１による制御により変動し得る。この場合、光源５０４＃２の発する熱の量の変動により、変調部５０３＃２の変調特性が影響を受け得る。したがって、光源１３１１を受信部５０２＃２に配置することにより、変調部５０３＃２の変調特性を安定化させることができる。
【０１１５】
図１４は、第３変形例に係るＴＲＳＰ３０１＃２を含む光伝送システム１４００の機能ブロック図である。図５に示す機能ブロック図との違いは、図１４において、光分岐部５０５＃１から受信部５０２＃１に向かう導波路の途中にアンプ１４０１を配置している点である。また、図５に示す機能ブロック図との別の違いは、図１４において、光分岐部５０５＃２から受信部５０２＃１に向かう導光路の途中にアンプ１４０２を配置している点である。このようにアンプ１４０１および１４０２を配置することにより、受信部５０２＃１および受信部５０２＃２へ向かう導波路による光の損失を補償することができ、受信感度を上げることが可能となる。
【０１１６】
なお、図１２から図１４に示すように、ＴＲＳＰ３０１＃１の光源５０４＃１の配置される位置は、ＴＲＳＰ３０１＃２の光源５０４＃２の配置される位置に対応する位置とは限らない。また、ＴＲＳＰ３０１＃１として、次に説明する比較例に係るＴＲＳＰを用いることができる。ＴＲＳＰ３０１＃１として、次に説明する比較例に係るＴＲＳＰを用いても、ＴＲＳＰ３０１＃２は、受信した光信号の搬送波波長と同じ波長の搬送波波長の光信号を送信するので、ＴＲＳＰ＃１の光源の発振波長の調整を比較例に係るよりも簡単にすることができる。
【０１１７】
以上の各実施形態および各変形例によれば、伝送装置の一例としてのＴＲＳＰは、光送受信部３０２（例えば図３）を備えている。ここに、光送受信部３０２は、光源５０４＃２（例えば図５）または１２１２（例えば図１２）と送信部５０１＃２（例えば図５または１２）と受信部５０２＃２（例えば図５または１２）と制御部５２１（例えば図５または１２）とを有する。送信部５０１＃２は、光源１２１２が出力する第１の光を変調して得られる第１の光信号を送信する。受信部５０２＃２は、受信した第２の光信号を、光源１２１２が出力する第１の光を用いてコヒーレント受信する。制御部５２１は、受信部５０２＃２による第２の光信号の受信結果に基づいて前記第１の光の波長を制御する。また、光送受信部３０２は、光送受信器あるいは光送受信モジュールと呼称されてもよい。
【０１１８】
また、上記の伝送装置の一例としてのＴＲＳＰと送受信を行なう第２のＴＲＳＰは、第２光送受信部３０２（例えば図３）を備えている。ここに、第２光送受信部３０２は、第２光源５０４＃１（例えば図５）と第２送信部５０１＃１（例えば図５）と第２受信部５０２＃１（例えば図５）とを有する。第２送信部５０１＃１は、第２光源５０４＃１が出力する第２の光を変調して得られる第２の光信号を送信する。第２受信部５０２＃１は、受信した第１の光信号を第２光源５０４＃１が出力する第２の光を用いてコヒーレント受信する。第２光送受信部３０２は、第２の光送受信器あるいは第２の光送受信モジュールと呼称されてもよい。
【０１１９】
（比較例）
最後に、比較例に係る光伝送システムについて説明する。図１５は、比較例に係る光伝送システムの機能ブロック図である。
【０１２０】
図１５と、図５、図１２、図１３および図１４とを比べると、まず、図１５においては、光源５０４＃１および５０４＃２に加えて光源１５０１＃２および１５０１＃２が備わっている。光源１５０１＃２および１５０１＃２のそれぞれは、受信部５０２＃１および５０２＃２の局所発振光源として機能する。
【０１２１】
したがって、上述の実施形態に係る光伝送システムにおいては、光源の数を、比較例に係る光伝送システムにおける光源の数よりも減らすことができ、コストの低減と、光源の数の減少による機器サイズの小型化および低消費電力とを実現することができる。
【０１２２】
また、比較例に係る光伝送システムにおいては、発振波長の調整が煩雑である。別言すれば、送信部５０１＃１の光源５０４＃１および受信部５０２＃２の光源１５０１＃２の発振波長を同一にする作業と、送信部５０１＃１の光源５０４＃１および受信部５０２＃１の光源１５０１＃２の発振波長を同一にする作業とを実施することになる。ＴＲＳＰ３０１＃１およびＴＲＳＰ３０１＃２は、通常、遠隔地に設置されるため、発振波長の調整はさらに煩雑となる。
【０１２３】
一方、上述の実施形態に係る光伝送システムにおいては、１つの光源の発振波長の調整で済ませることができ、従来よりも短時間かつ簡便に調整を実施することができる。
【０１２４】
以上の開示に係る各実施形態および変形例に関し、さらに以下の付記を追記する。
（付記１）
第１伝送装置と、前記第１伝送装置と光通信可能に接続された第２伝送装置と、を備え、
前記第１伝送装置は、
第１光源と、
前記第１光源が出力する第１の光を変調して得られる第１の光信号を前記第２伝送装置へ送信する第１送信部と、
前記第２伝送装置が送信した第２の光信号を、前記第１光源が出力する前記第１の光を用いてコヒーレント受信する第１受信部と、
を備え、
前記第２伝送装置は、
第２光源と、
前記第２光源が出力する第２の光を変調して得られる前記第２の光信号を前記第１伝送装置へ送信する第２送信部と、
前記第１伝送装置が送信した前記第１の光信号を、前記第２の光源が出力する前記第２の光を用いてコヒーレント受信する第２受信部と、
前記第２受信部による前記第１の光信号の受信結果に基づいて前記第２光源が出力する前記第２の光の波長を制御する制御部と、
を備える、光伝送システム。
【０１２５】
（付記２）
前記第１光源の生成する光の波長は固定されている、付記１に記載の光伝送システム。
【０１２６】
（付記３）
前記制御部は、前記第２受信部による前記第１の光信号の受信品質が高くなる方向に前記第２光源が出力する前記第２の光の波長を制御する、付記１または２に記載の光伝送システム。
【０１２７】
（付記４）
前記制御部は、前記第２光源が出力する前記第２の光の波長を変化させながら、前記第２受信部による前記第１の光信号の受信品質を記録し、最も高い受信品質が記録された光の波長に前記第２光源の生成する光の波長を制御する、付記１から３のいずれか１項に記載の光伝送システム。
【０１２８】
（付記５）
前記制御部は、
前記第２光源が出力する光の波長を大きくすることにより、前記第２受信部による前記第１の光信号の受信品質が高くなる間、前記第２光源の生成する光の波長を大きくし、
前記第２光源の生成する光の波長を小さくすることにより、前記第２受信部による前記第１の光信号の受信品質が高くなる間、前記第２光源の生成する光の波長を小さくする、付記１から４のいずれか１項に記載の光伝送システム。
【０１２９】
（付記６）
前記第２伝送装置は前記第２光源が出力する第２の光を増幅するアンプを備え、
前記第２受信部は、前記アンプにより増幅された前記第２の光を用いて前記第２の光信号を前記コヒーレント受信する、付記１から５のいずれか１項に記載の光伝送システム。
【０１３０】
（付記７）
光源と、
前記光源が出力する第１の光を変調して得られる第１の光信号を送信する送信部と、
受信した第２の光信号を、前記光源が出力する前記第１の光を用いてコヒーレント受信する受信部と、
前記受信部による前記第２の光信号の受信結果に基づいて前記第１の光の波長を制御する制御部と、
を備える、伝送装置。
【０１３１】
（付記８）
前記制御部は、前記受信部による前記第２の光信号の受信品質が高くなる方向に前記第１光源の生成する光の波長を変更する、付記７に記載の伝送装置。
【０１３２】
（付記９）
前記制御部は、前記光源の生成する光の波長を変化させながら、前記受信部による前記第２の光信号の受信品質を記録し、最も高い受信品質が記録された光の波長に前記第１光源の生成する光の波長を制御する、付記７または８に記載の伝送装置。
【０１３３】
（付記１０）
前記制御部は、
前記光源の生成する光の波長を大きくすることにより、前記受信部による前記第２の光信号の受信品質が高くなる間、前記光源の生成する光の波長を大きくし、
前記光源の生成する光の波長を小さくすることにより、前記受信部による前記第２の光信号の受信品質が高くなる間、前記光源の生成する光の波長を小さくする、付記７から９のいずれか１項に記載の伝送装置。
【０１３４】
（付記１１）
前記光源が出力する第１の光を増幅するアンプを備え、
前記受信部は、前記アンプにより増幅された前記第１の光を用いて前記第１の光信号を前記コヒーレント受信する、付記７から１０のいずれか１項に記載の伝送装置。
【０１３５】
（付記１２）
第１伝送装置と、前記第１伝送装置と光通信可能に接続された第２伝送装置とを備える光伝送システムの波長制御方法であって、
前記第１伝送装置において、
第１光源が生成する第１の光を変調して得られる第１の光信号を前記第２伝送装置へ送信し、
前記第２伝送装置から第２の光信号を、前記第１光源が生成する前記第１の光を用いてコヒーレント受信し、
前記第２伝送装置において、
第２光源が生成する第２の光を変調して得られる前記第２の光信号を前記第１伝送装置へ送信し、
前記第１伝送装置が送信した前記第１の光信号を、前記第２の光源が出力する前記第２の光を用いてコヒーレント受信し、
前記第２受信部による前記第１の光信号の受信結果に基づいて前記第２光源の生成する光の波長を制御する、波長制御方法。
【０１３６】
（付記１３）
前記第１光源の生成する光の波長を固定する、付記１２に記載の波長制御方法。
【０１３７】
（付記１４）
前記第１の光信号の受信品質がより高くなる方向に前記第２光源が出力する光の波長を制御する、付記１２または１３に記載の波長制御方法。
【０１３８】
（付記１５）
前記第２光源が出力する光の波長を変化させながら、前記第１の光信号の受信品質を記録し、最も高い受信品質が記録された光の波長に前記第２光源の生成する光の波長を変更する付記１２から１４のいずれか１項に記載の波長制御方法。
【０１３９】
（付記１６）
前記第２光源の生成する光の波長を大きくすることにより、検出される前記第１の光信号の受信品質が高くなる間、前記第２光源の生成する光の波長を大きくし、
前記第２光源の生成する光の波長を小さくすることにより、前記第１の光信号の受信品質が高くなる間、前記第２光源の生成する光の波長を小さくする、付記１３から１５のいずれか１項に記載の波長制御方法。
【０１４０】
（付記１７）
前記第２の光を増幅し、前記第１の光信号をコヒーレント受信する、付記１３から１６のいずれか１項に記載の波長制御方法。
【符号の説明】
【０１４１】
１００  光伝送システム
１０１（１０１＃１〜１０１＃８）  ノード
２０１  ＲＯＡＤＭ
２０２  第１入出力部
２０３  第２入出力部
３０１（＃１、＃２）  ＴＲＳＰ
３０２  ＮＢＯ
３０３（＃１、＃２）  ＤＳＰ
３０４（＃１、＃２）  フレーマ
３０５（＃１、＃２）  ＣＦＰ
３０３−１（＃１、＃２）  ＭＵＸ
３０３−２（＃１、＃２）ＡＤＣ／ＤＳＰ
４０１（＃１、＃２）  光伝送路
５０１（＃１、＃２）  送信部
５０２（＃１、＃２）  受信部
５０３（＃１、＃２）  変調部
５０４（＃１、＃２）  光源
５０５（＃１、＃２）  光分岐部
５０７（＃１、＃２）  ９０度光ハイブリッド回路
５０８（＃１、＃２）  ９０度光ハイブリッド回路
５０９（＃１、＃２）  アンプ
５１０（＃１、＃２）  アンプ
１３１１  光源
１３１２  光分岐部
１４１１  光源
１４１２  光分岐部
１５０１（＃１、＃２）  光源（局部発振光源）
【図１】
2017195482.tif 000003
【図２】
2017195482.tif 000004
【図３】
2017195482.tif 000005
【図４】
2017195482.tif 000006
【図５】
2017195482.tif 000007
【図６】
2017195482.tif 000008
【図７】
2017195482.tif 000009
【図８】
2017195482.tif 000010
【図９】
2017195482.tif 000011
【図１０】
2017195482.tif 000012
【図１１】
2017195482.tif 000013
【図１２】
2017195482.tif 000014
【図１３】
2017195482.tif 000015
【図１４】
2017195482.tif 000016
【図１５】
2017195482.tif 000017